(57)【要約】【課題】簡単な構造でスナップアクション機構のばねを外れ難くして衝撃による動作点の変化を防止するようにしたスナップアクション機構を提供する。【解決手段】先端部が離隔対向し両側に切欠部４１ｂ，４２ｂが形成された第１、第２の可動部４１，４２、両端部の両側に切欠部４１ｂ，４２ｂと係合する切欠部１２ｄ，１２ｅが形成され可動部間に介挿され切欠部を介して係合されて各可動部にばね力を付与する板ばね１２を備え、第１の可動部の変位により第２の可動部を反転させるスナップアクション機構において、板ばね１２には中央部を挟んで一対の孔部１２ｇが形成され、各可動部の先端部が板ばねの孔部に挿通され、少なくとも第２の可動部には両側の切欠部の外側部の先端領域４２ａ又は内側部の先端領域４２ｅの何れか一方の領域に孔部の縁に係止する係止部４２ｆが折曲して形成された構成としたものである。【選択図】図７
2009129595.tif 000002
【特許請求の範囲】
【請求項１】
両側に可動部側切欠部がそれぞれ形成された先端部が離隔対向して配置され、基端部が弾性変形部を介して固定される第１及び第２の可動部と、
両端部の両側部に前記対向する可動部側切欠部と係合する板ばね側切欠部が形成され、前記可動部間に湾曲をなして介挿され、前記板ばね側切欠部を介して前記各可動部側切欠部に係合されて各可動部にばね力を付与する板ばねとを備え、
前記第１の可動部の初期状態において前記第２の可動部を第１の位置に保持し、前記第１の可動部が変位して動作点を超えたときに前記第２の可動部を他側に急速に反転させるスナップアクション機構において、
前記板ばねには前記対向する可動部方向に長い長方形状をなし長手方向の中央部を挟んで一対の孔部が形成され、
前記第１及び第２の可動部の先端部がそれぞれ前記板ばねの対応する孔部にそれぞれ挿通され、少なくとも前記第２の可動部には両側の前記可動部側切欠部の外側部の先端領域又は内側部の先端領域の何れか一方の領域に前記孔部の縁に係止する係止部が折曲して形成されていることを特徴とするスナップアクション機構。
【請求項２】
前記第２の可動部両側の切欠部の内側部の先端領域又は外側部の先端領域が折曲して形成されることに代えて、当該先端領域の何れか一方の領域が何れか他方の領域よりも延出して形成されていることを特徴とする、請求項１に記載のスナップアクション機構。
【請求項３】
前記第２の可動部両側の切欠部の内側部の先端領域又は外側部の先端領域が折曲して形成されることに代えて、前記第２の可動部には、可動部側切欠部の開口部の一側の側面に板面に対して垂直方向から見て略鋸歯状をなして他側の側面に向かって突出しこれに係止する前記板ばね側切欠部の挿入のみを許容する係止爪が形成されていることを特徴とする、請求項１又は請求項２に記載のスナップアクション機構。
【請求項４】
前記第２の可動部は、前記可動部側切欠部の開口部の他側の側面に前記係止爪と対向して該係止爪に対応する相補的な形状の凹部が形成されていることを特徴とする、請求項３に記載のスナップアクション機構。
【請求項５】
前記凹部は、前記鋸歯状をなす係止爪のテーパ部と対応して凹みかつ前記テーパ部の奥側終端部に対応する部位から前記可動部側切欠部の奥端面まで当該可動部の延在方向に沿って直線状に切り下げられていることを特徴とする、請求項４に記載のスナップアクション機構。
【請求項６】
前記板ばねは、前記第２の可動部の先端部が挿通するスリット状の係止孔が当該板ばね側切欠部間に対応して形成され、
前記第２の可動部両側の切欠部の内側部の先端領域又は外側部の先端領域が折曲して形成されることに代えて、当該先端領域が略同じ長さに延出して形成されていることを特徴とする、請求項１に記載のスナップアクション機構。
【請求項７】
前記板ばねは、前記対向する可動部方向に長い長方形状をなし長手方向の中央部を挟んで一対の孔部が形成されることに代えて、前記対向する可動部方向に長い長方形の板体をなし両端部の両側部に板ばね側切欠部が形成されており、
前記第１及び第２の可動部にはそれぞれ先端に前記板ばねの端部が板ばね側切欠部を介して挿通しかつ係合する可動部側切欠部がそれぞれ形成され、前記可動部側切欠部の対向する内側の側面に板面に対して垂直方向から見て略鋸歯状をなして内方に向かって突出し前記板ばねの端部及び板ばね側切欠部の挿入のみを許容する係止爪が形成されていることを特徴とする、請求項１に記載のスナップアクション機構。
【請求項８】
前記第２の可動部両側の切欠部の内側部の先端領域又は外側部の先端領域が折曲して形成されることに代えて、前記可動部側切欠部は、前記板ばね側切欠部の奥端面と孔部の縁との間の連設部を挿通させるゲートと該ゲートの奥部に形成され当該ゲートよりも幅広をなし前記連設部を収容する収容部からなり、
前記ゲートの幅は前記連設部の幅により規定されており、前記板ばね側切欠部を前記可動部側切欠部の収容部に係合する際に、前記板ばねを変形させずにかつ挿入方向と直交する方向にガタ付かせずに前記連設部が前記可動部のゲートを挿通可能としたことを特徴とする、請求項1に記載のスナップアクション機構。
【請求項９】
中空の筐体と、
前記筐体の内部を仕切って二つの圧力室を形成しこれらの圧力室の差圧に応じた作動力を発生する外力伝達機構と、
前記二つの圧力室のそれぞれに対応させて筐体に設けられた気体導入孔と、
前記何れかの圧力室に収容され前記外力伝達機構からの作動力を受けて動作するスナップアクション機構と、
前記スナップアクション機構により開閉される電気接点と、
前記電気接点の開閉を筐体の外部に伝達する導電部材を備えた圧力スイッチにおいて、
前記スナップアクション機構は前記請求項１乃至請求項８の何れかに記載のスナップアクション機構からなり、当該スナップアクション機構の第１の可動部は前記外力伝達機構からの外力を受けて変位し、第２の可動部に前記電気接点が設けられていることを特徴とする圧力スイッチ。
【発明の詳細な説明】
【技術分野】
【０００１】
本発明は、スナップアクション機構及びこれを用いた圧力スイッチに関する。
【背景技術】
【０００２】
給湯器やボイラ等のガスが燃焼するときには空気ファンが回転して排気ガスを排出するが、故障等により空気ファンが回転せず停止した状態のままガスが燃焼した場合、不完全燃焼を起こすおそれがある。このため、空気ファンからの送風を検出するべく風圧を外力として伝達し、接点の接触動作を行う圧力スイッチが提案されている（例えば、特許文献１参照）。
【０００３】
図１は、上記圧力スイッチの断面図を示し、圧力スイッチ１は、中空の筐体の下部を形成する有底円筒形状のハウジング２、ハウジング２に装着固定されて中空の筐体の上部を形成する有底円筒形状のカバー３、ハウジング２に収容されたスナップアクション機構からなるスイッチ４、ハウジング２とカバー３との間に介挿されてスイッチ４が収容されたハウジング２側に低圧室５をカバー３側に高圧室６を気密に画成し、かつスイッチ４を作動させるための外力伝達機構としてのダイアフラム７等により構成されている。
【０００４】
そして、低圧室５がハウジング２に形成された気体導入孔としてのポート２ａを介して大気に開放され、高圧室６がカバー３に形成された気体導入孔としてのポート３ａを介して前記給湯器の排気管（煙道）に連通接続され、これら低圧室５と高圧室６の圧力差（差圧）に応じてダイアフラム７によりスイッチ４をオン／オフさせ、前記空気ファンの回転／回転停止を検出するようになっている。
【０００５】
スイッチ４は、主板１１、板ばね１２、ＣＯＭ（Common）端子１３、ＮＯ（Normally Open）端子１４、ＮＣ（Normally Close）端子１５等により構成されている。これらの端子１３〜１５の図示しない導電部材としての接続部はハウジング２の外部に延出されて外部の機器に接続される。主板１１は、ＣＯＭ端子１３に電気的及び機械的に接続されると共にハウジング２に固定されている。
【０００６】
主板１１は、図２に示すようにばね性を有する長方形状の薄板金属板からなり、中心線上で相互に対向する位置に第１、第２の二つの可動部２１，２２を備えている。第1の可動部２１の基端部と主板１１の端部１１ａ、第２の可動部２２の基端部と主板１１の端部１１ｂは、それぞれ弾性変形部２３，２４により連結されている。そして、端部１１ａと１１ｂの両側部は、連結部１１ｃで連結されており、可動部２１，２２を取り囲む枠のような形状をなしている。
【０００７】
第１の可動部２１は、縦長の台形状をなし撓み易い弾性変形部２３に比べて大きな剛体のように機能する。可動部２１の先端部２１ａの両側に板ばね１２と係合するための切欠部２１ｂが形成されており、上面略中央にダイアフラム７のプランジャ受け部２１ｃが窪んで形成されている。
【０００８】
第２の可動部２２は、帯状の弾性変形部２４の先端部より前に位置する横長の長方形状をなし、撓み易い弾性変形部２４に比べて大きな剛体のように機能する。可動部２２は、上下両面の略中央位置に図１に示したＮＯ端子１４、ＮＣ端子１５の接点１４ａ，１５ａと接触するための電気接点２５，２６が設けられている。そして、可動部２２の先端部２２ａの両側に板ばね１２と係合するための切欠部２２ｂが形成されている。
【０００９】
板ばね１２は、図３に示すように長方形状をなし、両端部１２ａ，１２ｂ近傍の両側部１２ｃに可動部２１,２２の切欠部２１ｂ，２２ｂと係合可能な切欠部１２ｄ，１２ｅが形成されている。また、板ばね１２の長手方向の中央部１２ｆを挟んで一対の孔部１２ｇが形成されている。
【００１０】
板ばね１２は、図２に示すように可動部２１，２２の先端部２１ａ，２２ａ間に介在される。可動部２１は、図３に２点鎖線で示すように先端部２１ａを板ばね１２の一側の孔部１２ｇに挿通し、切欠部２１ｂを板ばね１２の切欠部１２ｄに係合する。可動部２２は、図４に示すように先端部２２ａを板ばね１２の他側の孔部１２ｇに挿通し、切欠部２２ｂを板ばね１２の切欠部１２ｅに係合する。尚、図４は、可動部２２の切欠部２２ｂと板ばね１２の切欠部１２ｅとの係合を分かり易く示したもので板ばね１２を平板状に描いてある。
【００１１】
図１に戻り、可動部２１は、荷重調整用の止めねじ１７により水平位置よりも斜め上方に向けて傾斜しており、可動部２２よりも上方に位置している。ダイアフラム７は、プランジャ７ａの先端部が可動部２１のプランジャ受け部２１ｃに当接しており、低圧室５と高圧室６の圧力差（差圧）が所定の設定圧以下の場合には定常状態（初期位置）にある。この状態においてスイッチ４は、板ばね１２がばね力により可動部２２を斜め下方に押し下げて接点２５をＮＯ端子１４の電気接点１４ａから離隔させ、接点２６をＮＣ端子１５の電気接点１５ａに接触させてスイッチ・オフになっている。
【００１２】
前記給湯器の使用時に空気ファンが回転すると高圧室６に風圧が供給されて高圧室６の圧力が高くなり、低圧室５との圧力差が前記所定の設定圧を超えるとダイアフラム７が低圧室５側に撓み、プランジャ７ａがスイッチ３の可動部２１を押し下げて弾性変形部２３を撓ませる。そして、可動部２１の変位が動作点を超えると板ばね１２が弾性変形部２４のばね力に抗して可動部２２を急速に押し上げ、電気接点２５が電気接点１４ａに接触し、電気接点２６が電気接点１５ａから離隔してスイッチ４がオンとなる。即ち、スイッチ４は、スナップアクションにより急速に反転動作してオフからオンに切り換わる。
【００１３】
前記空気ファンの回転が停止すると、高圧室６に風圧が供給されなくなり、低圧室５との圧力差が０となり、これに伴いダイアフラム７が定常状態（初期位置）に戻り、弾性変形部２３の撓みが小さくなる。そして、可動部２１の変位が動作点を超えると板ばね１２が急速に可動部２２を押し下げて電気接点２５を電気接点１４ａから離隔させ、電気接点２６を電気接点１５ａに接触させてスイッチ４をオフにする。即ち、スイッチ４は、スナップアクションにより急速に復帰動作してオンからオフに切り換わる。このようにして、圧力スイッチ１は、空気ファンの回転／回転停止を迅速に検出する。
【特許文献１】ＷＯ２００６／０９０７９７号公報（６−１０頁、図１）
【発明の開示】
【発明が解決しようとする課題】
【００１４】
しかしながら、上述したスナップアクション機構は、筐体に許容限度を超える衝撃力が加わった場合、（例えば給湯器やボイラ等への取り付けの際に誤って床面に落としてしまったような場合）スナップアクション機構を構成している主板１１の可動部２１，２２と板ばね１２との係合が外れる虞がある。
【００１５】
そして、板ばね１２の端部１２ｂが可動部２２から外れて中途半端な状態で可動部２２に引っ掛かっているような場合（脱落してはいないが、正規の位置にない場合）、スイッチとしてのオン・オフ機能を有してはいるものの板ばね１２のばね力が低下してしまうために動作点が低下して正常に動作し難くなる虞がある。
【００１６】
また、板ばね１２の端部１２ｂを可動部２２の切欠部２２ｂから外れ難くするべく図４に示す可動部２２の切欠部２２ｂを深く形成すると、当該可動部２２の製造が困難になるという問題がある。
【００１７】
本発明の目的は、簡単な構造でスナップアクション機構のばねを外れ難くして落下等の衝撃に起因する動作点の変化を低減したスナップアクション機構及びこれを用いた圧力スイッチを提供することにある。
【課題を解決するための手段】
【００１８】
上述した課題を解決するために、本発明の請求項１に係るスナップアクション機構は、
両側に可動部側切欠部がそれぞれ形成された先端部が離隔対向して配置され、基端部が弾性変形部を介して固定される第１及び第２の可動部と、
両端部の両側部に前記対向する可動部側切欠部と係合する板ばね側切欠部が形成され、前記可動部間に湾曲をなして介挿され、前記板ばね側切欠部を介して前記各可動部側切欠部に係合されて各可動部にばね力を付与する板ばねとを備え、
前記第１の可動部の初期状態において前記第２の可動部を第１の位置に保持し、前記第１の可動部が変位して動作点を超えたときに前記第２の可動部を他側に急速に反転させるスナップアクション機構において、
前記板ばねには前記対向する可動部方向に長い長方形状をなし長手方向の中央部を挟んで一対の孔部が形成され、
前記第１及び第２の可動部の先端部がそれぞれ前記板ばねの対応する孔部にそれぞれ挿通され、少なくとも前記第２の可動部には両側の可動部側切欠部の外側部の先端領域又は内側部の先端領域の何れか一方の領域に前記孔部の縁に係止する係止部が折曲して形成されていることを特徴としている。
【００１９】
スナップアクション機構は、第１の可動部の初期状態において第２の可動部を第１の位置に保持し、第１の可動部が変位して動作点を超えたときに第２の可動部を他側に急速に反転させる。
【００２０】
板ばねは対向する可動部方向に長い長方形状をなし長手方向の中央部を挟んで一対の孔部が形成されており、第１及び第２の可動部は先端部がそれぞれ板ばねの対応する孔部にそれぞれ挿通され、少なくとも第２の可動部は両側の可動部側切欠部の外側部の先端領域又は内側部の先端領域の何れか一方の領域に孔部の縁に係止する係止部が折曲して形成されている。板ばねは、板ばね側切欠部の左右方向の動きが可動部の先端部と切欠部の外側部とにより規制され、更に可動部の係止部が板ばねの孔部の縁に係止されることにより板ばねと可動部が外れ難くなる。
【００２１】
また、本発明の請求項２に係るスナップアクション機構は、請求項１に記載のスナップアクション機構において、
前記第２の可動部は両側の切欠部の内側部の先端領域又は外側部の先端領域が折曲して形成されることに代えて、当該先端領域の何れか一方の領域が何れか他方の領域よりも延出して形成されていることを特徴としている。
【００２２】
第２の可動部の両側の切欠部の内側の先端領域又は外側の先端領域の何れか一方の領域が何れか他方よりも延出して形成されていることにより、板ばねの孔部との係合が深くなり外れ難くなる。
【００２３】
また、本発明の請求項３に係るスナップアクション機構は、請求項１又は請求項２に記載のスナップアクション機構において、
前記第２の可動部両側の切欠部の内側部の先端領域又は外側部の先端領域が折曲して形成されることに代えて、前記第２の可動部には、可動部側切欠部の開口部の一側の側面に板面に対して垂直方向から見て略鋸歯状をなして他側の側面に向かって突出しこれに係止する前記板ばね側切欠部の挿入のみを許容する係止爪が形成されていることを特徴としている。
【００２４】
板ばねの切欠部は、第２の可動部の切欠部の開口部に形成された略鋸歯状をなす係止爪により挿入が許容され、かつ係止爪により係止されて第２の可動部の切欠部から外れ難くなる。
【００２５】
また、本発明の請求項４に係るスナップアクション機構は、請求項３に記載のスナップアクション機構において、
前記第２の可動部には、前記可動部側切欠部の開口部の他側の側面に前記係止爪と対向して該係止爪に対応する相補的な形状の凹部が形成されていることを特徴としている。
【００２６】
板ばねの切欠部は、第２の可動部の切欠部の開口部に形成された略鋸歯状をなす係止爪と、この係止爪と対向して形成された係止爪に対応する相補的な形状の凹部との間から当該第２の可動部の切欠部に挿入される。これにより、板ばね側切欠部の第２の可動部側切欠部への挿入が容易となり、かつ係止爪により当該切欠部から外れ難くなる。
【００２７】
また、本発明の請求項５に係るスナップアクション機構は、請求項４に記載のスナップアクション機構において、
前記凹部は、前記鋸歯状をなす係止爪のテーパ部と対応して凹みかつ前記テーパ部の奥側終端部と対応する部位から前記可動部側切欠部の奥端面まで当該可動部の延在方向に沿って直線状に切り下げられていることを特徴としている。
【００２８】
板ばねの切欠部は、第２の可動部の切欠部の開口部に形成された略鋸歯状をなす係止爪と、この係止爪と対応して凹みかつテーパ部の奥側終端部と対応する部位から可動部側切欠部の奥端面まで可動部の延在方向に沿って直線状に切り下げられて形成されている凹部との間から当該第２の可動部の切欠部に挿入される。これにより、板ばね側切欠部の第２の可動部側切欠部への挿入が容易となり、かつ係止爪により当該第２の可動部の切欠部から外れ難くなる。
【００２９】
また、本発明の請求項６に係るスナップアクション機構は、請求項１に記載のスナップアクション機構において、
前記板ばねは、前記第２の可動部の先端部が挿通するスリット状の係止孔が当該板ばね側切欠部間に対応して形成され、
前記第２の可動部両側の切欠部の内側部の先端領域又は外側部の先端領域が折曲して形成されることに代えて、当該先端領域が略同じ長さに延出して形成されていることを特徴としている。
【００３０】
第２可動部の先端部が板ばねの両側部の切欠部間に形成されたスリット状の係止孔に挿通されることにより、板ばねから外れ難くなる。これにより、第２の可動部と板ばねとが外れ難くなる。
【００３１】
また、本発明の請求項７に係るスナップアクション機構は、請求項１に記載のスナップアクション機構において、
前記板ばねは、前記対向する可動部方向に長い長方形状をなし長手方向の中央部を挟んで一対の孔部が形成されることに代えて、前記対向する可動部方向に長い長方形の板体をなし両端部の両側部に板ばね側切欠部が形成されており、
前記第１及び第２の可動部にはそれぞれ先端に前記板ばねの端部が板ばね側切欠部を介して挿通しかつ係合する可動部側切欠部がそれぞれ形成され、前記可動部側切欠部の対向する内側の側面に板面に対して垂直方向から見て略鋸歯状をなして内方に向かって突出し前記板ばねの端部及び板ばね側切欠部の挿入のみを許容する係止爪が形成されていることを特徴としている。
【００３２】
板ばねを板状に形成して両端部両側部に切欠部を形成し、第１及び第２の可動部の先端に形成した切欠部に板ばね側切欠部を介して板ばねの端部を挿通する。板ばねは、板ばね側切欠部が第２の可動部の係止爪により挿入可能、かつ逸脱不能に係止される。これにより、第１及び第２の可動部と板ばねとが外れ難くなる。
【００３３】
また、本発明の請求項８に係るスナップアクション機構は、請求項１に記載のスナップアクション機構において、
前記第２の可動部両側の切欠部の内側部の先端領域又は外側部の先端領域が折曲して形成されることに代えて、前記可動部側切欠部は、前記板ばね側切欠部の奥端面と孔部の縁との間の連設部を挿通させるゲートと該ゲートの奥部に形成され当該ゲートよりも幅広をなし前記連設部を収容する収容部からなり、
前記ゲートの幅は前記連設部の幅により規定されており、前記板ばね側切欠部を前記可動部側切欠部の収容部に係合する際に、前記板ばねを変形させずにかつ挿入方向と直交する方向にガタ付かせずに前記連設部が前記可動部のゲートを挿通可能としたことを特徴としている。
【００３４】
第２の可動部の切欠部のゲートの幅を板ばねの切欠部と孔部との間の連設部の幅により規定し、板ばねを変形させずにかつ板ばねの挿入方向と直交する方向にガタ付かせずにゲートを挿通させて板ばねの切欠部を第２の可動部の切欠部の収容部に係合する。これにより、板ばねを撓ませたりして変形させること無く第２可動部の収容部に係合させることが可能となり、組み付けがし易くなる。そして、組み付けした後は、幅狭いゲートの部分がフックのような役割をして板ばねが第２の可動部から抜け難くなる。
【００３５】
また、本発明の請求項９に係る圧力スイッチは、
中空の筐体と、
前記筐体の内部を仕切って二つの圧力室を形成しこれらの圧力室の差圧に応じた作動力を発生する外力伝達機構と、
前記二つの圧力室のそれぞれに対応させて筐体に設けられた気体導入孔と、
前記何れかの圧力室に収容され前記外力伝達機構からの作動力を受けて動作するスナップアクション機構と、
前記スナップアクション機構により開閉される電気接点と、
前記電気接点の開閉を筐体の外部に伝達する導電部材を備えた圧力スイッチにおいて、
前記スナップアクション機構は前記請求項１乃至請求項８の何れかに記載のスナップアクション機構からなり、当該スナップアクション機構の第１の可動部は前記外力伝達機構からの外力を受けて変位し、第２の可動部に前記電気接点が設けられていることを特徴としている。
【００３６】
圧力スイッチは、二つの圧力室の差圧が無いときは外力伝達機構が定常状態にあり、作動力を発生しない。そして、第１可動部は、変位することなく初期状態にあり、第２可動部が第１の位置に保持されており、当該第２可動部に設けられている電気接点が、例えばオフになっている。二つの圧力室に差圧が発生すると外力伝達機構が作動力を発生して第１可動部を変位させる。そして、第１可動部の変位が動作点を超えると板ばねのばね力により第２可動部が第１の位置から第２の位置に急速に反転して電気接点がオンになる。
【００３７】
この圧力スイッチは、請求項１乃至請求項７の何れかに記載のスナップアクション機構により構成されていることにより、外部から衝撃等の影響を受け難く、板ばねのばね力の低下等に起因する動作点の変化を有効に防止することが可能となり、耐久性及び信頼性の向上が図られる。
【発明の効果】
【００３８】
本発明によると、簡単な構造でスナップアクション機構の第１及び第２の可動部間に介挿係止された板ばねを衝撃等の外力が作用した場合に外れ難くすることが可能となり、耐衝撃性が向上する。
【００３９】
また、このスナップアクション機構を使用して圧力スイッチを構成することにより、組立ラインにおける組立時、或いは給湯器やボイラ等への取り付けやメンテナンスの際に誤って床面に落としてしまったような場合でも衝撃等に起因する動作点の変化を防止することが可能となり、耐久性及び信頼性の向上が図られる。
【発明を実施するための最良の形態】
【００４０】
以下、本発明の一実施形態に係るスナップアクション機構及びこれを用いた圧力スイッチについて図面に基づいて説明する。図５は、本発明に係る圧力スイッチの一例を示す断面図、図６は、図５に示した圧力スイッチに用いるスナップアクション機構の要部斜視図、図７は、図６に示したスナップアクション機構の接点側可動部の形状及び板ばねとの係合を示す説明図である。尚、図５乃至図７において図１乃至図４と同一又は相当する構成要素には同一又は相当する符号を付してある。
【００４１】
図５に示すように圧力スイッチ１’は、中空の筐体の下部を形成する有底円筒形状のハウジング２、ハウジング２に装着固定されて中空の筐体の上部を形成する有底円筒形状のカバー３、ハウジング２に収容されたスナップアクション機構からなるスイッチ３０、ハウジング２とカバー３との間に介挿されてスイッチ４が収容されたハウジング２側に低圧室５をカバー３側に高圧室６を気密に画成し、かつスイッチ３０を作動させるための外力伝達機構としてのダイアフラム７等により構成されている。
【００４２】
そして、低圧室５がハウジング２に形成されたポート２ａを介して大気に開放され、高圧室６がカバー３に形成されたポート３ａを介して前記給湯器の排気管に連通接続され、これら低圧室５と高圧室６の圧力差（差圧）によりダイアフラム７を作動させてスイッチ３０をオン／オフさせ、前記給湯器の排気管に設けられている空気ファンの回転／回転停止を検出するようになっている。
【００４３】
スイッチ３０は、主板３１、板ばね１２、ＣＯＭ（Common）端子１３、ＮＯ（Normally Open）端子１４、ＮＣ（Normally Close）端子１５等により構成されている。これらの端子１３〜１５の図示しない接続部はハウジング２の外部に延出されて外部の機器に接続される。主板１１は、ＣＯＭ端子１３に電気的及び機械的に接続されると共にハウジング２に固定されている。
【００４４】
主板３１は、図６に示すようにばね性を有する長方形状の薄板金属板からなり、中心線上で相互に対向する位置に第１、第２の二つの可動部４１，４２を備えている。第１の可動部４１の基端部と主板３１の端部３１ａ、第２の可動部４２の基端部と主板３１の端部３１ｂは、弾性変形部４３，４４により連結されている。そして、端部３１ａと３１ｂの両側部は、連結部３１ｃで連結されており、これらの可動部４１，４２を取り囲む枠のような形状をなしている。また、主板３１は、連結部３１ｃの外側部分に長手方向に沿って折曲部３１ｄが形成されており、略剛体のように機能する。
【００４５】
第１の可動部４１は、略縦長の台形状をなし先端部（自由端部）４１ａの両側に板ばね１２と係合するための角形の切欠部４１ｂが形成されている。可動部４１の上面略中央位置にダイアフラム７のプランジャ７ａの先端部が接触するための窪み形状のプランジャ受け部４１ｃが形成されている。また、可動部４１は、側面部分に補強用の折曲部４１ｄが形成されており、折曲部が形成されていない弾性変形部４３に対して可動部４１が剛体のように機能する。
【００４６】
第２の可動部４２は、略横長の長方形状をなし基端部が帯状をなす弾性変形部４４の先端部に連設され、撓み易い弾性変形部４４に比べて剛体のように機能する。可動部４２の上下両面の略中央位置に図５に示すＮＯ端子１４の接点１４ａ、ＮＣ端子１５の接点１５ａと接触可能な接点４５，４６が設けられている。そして、可動部４２の先端部（自由端部）４２ａの両側に板ばね１２と係合するための角形の切欠部４２ｂが形成されている。
【００４７】
可動部４２は、図７に示すように両側の切欠部４２ｂの内側部の先端領域（先端部）４２ａが、両側の切欠部４２ｂの外側部４２ｄの先端領域（先端部）４２ｅと略同じ突出位置において板面に対して下側に略直角に折曲されて係止部４２ｆとされている。この係止部４２ｆは、板ばね１２との係合を外れ難くするためのものである。このようにして、主板３１が形成されている。
【００４８】
板ばね１２は、前述した図３に示すように長方形状をなし、両端部１２ａ，１２ｂ近傍の両側部１２ｃの近傍に可動部４１，４２の切欠部４１ｂ，４２ｂと係合可能な切欠部１２ｄ，１２ｅが形成されている。また、板ばね１２の長手方向の中央部１２ｆを挟んで一対の孔部１２ｇが形成されている。即ち、板ばね１２は、長方形状の枠体の長手方向の両側部を中央部１２ｆにおいて連設した形状をなしている。この孔部１２ｇは、板ばね１２のばね力（反発力）を調節するために設けられたもので、孔部１２ｇを大きくするとこれに伴い枠部、即ち側部１２ｃ及び端部１２ａ，１２ｂが細くなりばね力が小さくなる。
【００４９】
以下に主板３１の可動部４１，４２と板ばね１２との係合の仕方について説明する。  板ばね１２は、図６に示すように可動部４１，４２の先端部４１ａ，４２ａ間に介挿される。可動部４１は、前述と同様に先端部４１ａを板ばね１２の一側の孔部１２ｇに挿通し、切欠部４１ｂを板ばね１２の切欠部１２ｄに係合する（図３参照）。板ばね１２の切欠部１２ｄの左右方向の動きが可動部４１の先端部４１ａと切欠部４１ｂの外側部とにより規制されて板ばね１２と可動部４１が外れ難くなっている。
【００５０】
可動部４２は、図６及び図７に示すように先端部４２ａを板ばね１２の他側の孔部１２ｇに挿通し、切欠部４２ｂを板ばね１２の切欠部１２ｅに係合する。板ばね１２の切欠部１２ｅの左右方向の動きが可動部４２の先端部４２ａと切欠部４２ｂの外側部４２ｄとにより規制されて板ばね１２と可動部４２が外れ難くなっている。尚、図７は、可動部４２の切欠部４２ｂと板ばね１２の切欠部１２ｅとの係合を分かり易く示したもので板ばね１２を平板状に描いてある。
【００５１】
これにより、板ばね１２は、図６に示すように中央部が側方から見て上方に向けて凸の曲面をなして湾曲する略Ｃ字形状をなすように可動部４１と４２との間に取り付けられる。この板ばね１２は、可動部４１，４２に対して圧縮ばねとして作用する。このようにして、スナップアクション機構を備えたスイッチ３０が構成されている。
【００５２】
板ばね１２の端部１２ｂは、可動部４２の先端部（両側の切欠部４２ｂの内側部の先端領域）４２ａの先端に係止部４２ｆが形成されていることにより、スイッチ３０に外力等の衝撃が加わり、可動部４２と板ばね１２が変位するような場合でも、板ばね１２の孔部１２ｇの縁（枠）としての端部１２ｂが可動部４２の係止部４２ｆに係止されることにより板ばね１２の切欠部１２ｅと可動部４２の切欠部４２ｂとの係合が維持される。これにより、板ばね１２と可動部４２が極めて外れ難くなる。
【００５３】
尚、図７において、可動部４２の両側の切欠部４２ｂの内側部の先端領域（先端部）４２ａの先端を下方に折曲して係止部４２ｆを形成したが、両側の切欠部４２ｂの外側部４２ｄの先端領域（先端部）４２ｅの先端を２点鎖線で示すように上方又は下方に略直角に折曲して係止部４２ｇを形成するようにしても良い。また、図６に示す圧力スイッチ１’の作用は、前述した図１に示す圧力スイッチ１と同様であり、詳細な説明は省略する。
【００５４】
図８は、可動部４２の変形例を示し、両側の切欠部４２ｂの内側部の先端領域（先端部）４２ａを延出して、板ばね１２の切欠部１２ｅと可動部４２の切欠部４２ｂとの係合を外れ難くしたものである。この場合、２点鎖線で示すように先端部４２ａの長さは、図４に示すような長さのままにして両側の切欠部４２ｂの外側部４２ｄの先端領域（先端部）４２ｅ’を長くするようにしても良い。
【００５５】
図９（ａ）は、可動部４２の切欠部４２ｂの第１の変形例を示し、両側の切欠部４２ｂの開口部に係止爪４２ｈを形成したものである。この係止爪４２ｈは、開口部の一側（外側）の側面に前面４２ｈ’が他側の側面に向かってかつ開口部から奥端面４２ｂ’に向かって略テーパ状に立ち上がり、後端面４２ｈ”が前記一側面に垂直に立ち下がる形状、即ち板面に対して垂直方向（上方）から見て略鋸歯状に形成されている。
【００５６】
そして、図９（ｂ）に示すように板ばね１２の孔部１２ｇに可動部４２の先端部４２ａを挿通し、切欠部４２ｂを板ばね１２の切欠部１２ｅに係合させることで板ばね１２と可動部１２とが係合する。板ばね１２は、切欠部１２ｅの左右方向の動きが可動部４２の先端部４２ａと切欠部４２ｂの外側部４２ｄとにより規制され、かつ板ばね１２の切欠部１２ｅにおける側部１２ｈが係止爪４２ｈに係止されて切欠部４２ｂから抜け出して外れることが防止される。これにより、板ばね１２の切欠部１２ｅと可動部４２の切欠部４２ｂとの係合を外れ難くすることができる。
【００５７】
図１０（ａ）は、可動部４２の切欠部４２ｂの第２の変形例を示し、図９（ａ）に示した切欠部４２ｂの開口部の係止爪４２ｈと対向する他側の側面に係止爪４２ｈと対向させて切欠部４２ｉを形成したものである。切欠部４２ｉは、鋸歯状に突出する係止爪４２ｈに対応する相補的な形状をなす凹部とされている。
【００５８】
そして、図１０（ｂ）に示すように板ばね１２の孔部１２ｇに可動部４２の先端部４２ａを挿通し、板ばね１２の切欠部１２ｂにおける側部１２ｃ’を係止爪４２ｈと切欠部４２ｉとの間を通して切欠部４２ｂに係合させることで、板ばね１２と可動部４２とが係合する。板ばね１２は、切欠部１２ｅの左右方向の動きが可動部４２の先端部４２ａと切欠部４２ｂの外側部４２ｄとにより規制され、かつ板ばね１２の切欠部１２ｅにおける側部１２ｈが係止爪４２ｈにより係止されて切欠部４２ｂから抜け出して外れることが防止される。これにより、板ばね１２の切欠部１２ｅと可動部４２の切欠部４２ｂとの係合を外れ難くすることができる。
【００５９】
図１１（ａ）は、可動部４２の切欠部４２ｂの第３の変形例を示し、図１０（ａ）の場合と同様に切欠部４２ｂの開口部の他側の側面に係止爪４２ｈと対向させて切欠部４２ｊを形成したものである。切欠部４２ｊは、係止爪４２ｈのテーパ上をなす前面（テーパ面）４２ｈ’と対応して凹みかつ係止爪４２ｈの後端面（テーパ部の奥側終端部）４２ｈ”と対応する部位から可動部４２の切欠部４２ｂの奥端面４２ｂ’まで可動部４２の延在方向に沿って直線状に切り下げられた形状とされている。この切欠部４２ｊは、係止爪４２ｈに対応する相補的な形状の凹部とされている。
【００６０】
そして、図１１（ｂ）に示すように板ばね１２の孔部１２ｇに可動部４２の先端部４２ａを挿通し、板ばね１２の切欠部１２ｂにおける側部１２ｃ’を係止爪４２ｈと切欠部４２ｊとの間を通して切欠部４２ｂに係合させることで、板ばね１２と可動部４２とが係合する。板ばね１２は、切欠部１２ｅの左右方向の動きが可動部４２の先端部４２ａと切欠部４２ｂの外側部４２ｄとにより規制され、かつ板ばね１２の切欠部１２ｅにおける側部１２ｈが係止爪４２ｈにより係止されて切欠部４２ｂから抜け出して外れることが防止される。これにより、板ばね１２の切欠部１２ｅと可動部４２の切欠部４２ｂとの係合を外れ難くすることができる。
【００６１】
図１２は、図３に示した板ばね１２の第１の変形例を示し、板ばね１２’は、可動部４２側の端部１２ｂ’と孔部１２ｇ’との間、かつ両側の切欠部１２ｅの間に可動部４２の先端部２２ａが僅かな隙間を存して挿通するスリット状の係止孔１２ｉ’を形成したものである。他の構成は図３に示した板ばね１２と同様である。この変形例の場合、主板３１の可動部４２は、図４に示した可動部２２と同様に形成されている。従って、図６に示す主板３１に代えて図２に示す主板１１を使用することができる。即ち、板ばね１２に代えて板ばね１２’を使用すれば良い。
【００６２】
そして、板ばね１２’の係止孔１２ｉ’に図１３に示すように可動部２２の先端部２２ａを挿通させ、切欠部１２ｅ’と切欠部２２ｂとを係合して板ばね１２’と可動部２２とを係合させる。板ばね１２’は、係止孔１２ｉ’に可動部２２の先端部２２ａが挿通され、切欠部１２ｅ’の左右方向の動きが可動部２２の先端部２２ａと切欠部２２ｂの外側部２２ｄとにより規制されることにより、切欠部２２ｂから抜け出して外れることが防止される。これにより、板ばね１２’と可動部２２との係合を外れ難くすることができる。
【００６３】
図１４は、図３に示した板ばね１２の第２の変形例を示し、板ばね１２”は、図３に示した一対の孔部１２ｇを無くした平板とし、両端部１２ａ”，１２ｂ”の両側部１２ｃ”に係合用の切欠部１２ｄ”，１２ｅ”を形成した形状を有している。板ばね１２においては前述したように孔部１２ｇの大きさによりばね力（反発力）を調節するようにしたが、孔部が形成されていない板ばね１２"においては他の手段、例えば板厚を調節することによりばね力を調整する。
【００６４】
図１５（ａ）は、上記板ばね１２"を使用する場合における当該板ばね１２”と係合する可動部４２の切欠部の第４の変形例を示し、切欠部４２ｂ”は、図９（ａ）に示した両側の係止部４２ｂの内側部の先端領域（先端部）４２ａを切り欠いて両側の切欠部４２ｂの奥端面４２ｂ’を繋げた形状としたものである。
【００６５】
そして、図１５（ｂ）に示すように板ばね１２"の端部１２ｂ”を可動部４２の切欠部４２ｂ”に挿入し、板ばね１２"の切欠部１２ｅ”と可動部４２の切欠部４２ｂ"とを係合させることで板ばね１２”と可動部４２とが係合する。板ばね１２"は、孔部の無い平板とされていることで捻れ方向に対する剛性が強く、切欠部１２ｅ”の左右方向の動きが可動部４２の切欠部４２ｂ”の内側の両側面により規制され、かつ可動部４２の切欠部４２ｂ”の両側の係止爪４２ｈにより係止されることにより可動部４２との係合が外れ難くなる。
【００６６】
この場合、図６に示す可動部４１の先端部４１ａも図１５（ａ）に示す可動部４２の先端部と同様の形状に形成して、上述した図１５（ｂ）に示す板ばね１２”の切欠部１２ｄ”と係合する。
【００６７】
図１６は、本実施形態に係る第２の可動部４２の切欠部の第５の変形例を示し、切欠部４２ｂ’”は、先端部に開口するスリット状のゲート４２ｋ、該ゲート４２ｋの奥部に連設して形成され当該ゲート４２ｋよりも幅広の略四角形状の収容部４２ｍからなる。ゲート４２ｋの幅は、板ばね１２の切欠部１２ｅの奥端面１２ｊと孔部１２ｇの縁１２ｋとの間の連設部１２ｍの幅により規定されており、板ばね１２を変形させずにかつゲート４２ｋへの挿入方向と直交する方向にガタ付かせずに連設部１２ｍがゲート４２ｋを僅かな隙間を存して挿通可能、即ち寸法公差ぎりぎりで通過可能に設定されている。尚、板ばね１２は、図３に示した板ばね１２と同一の形状とされている。
【００６８】
そして、収容部４２ｍの幅がゲート４２ｋの幅よりも広く設定されていることにより、ゲート４２ｋの収容部４２ｍ側開口端と当該収容部４２ｍとの間に角部４２ｎが形成されている。この角部４２ｎは、フックとしての機能を有している。そして、図１７に示すように板ばね１２の連設部１２ｍを可動部４２のゲート４２ｋに、当該板ばね１２を変形させずにかつゲート４２ｋへの挿入方向と直交する方向にガタ付かせずに挿通させて収容部４２ｍに収容して係合する。これにより、板ばね１２を可動部４２に円滑に組み付けることができる。
【００６９】
板ばね１２は、可動部４２に係合された後そのばね力により連設部１２ｍが収容部４２ｍの奥端面に圧接して保持される。このように組み付けられている状態において外力が作用した場合、板ばね１２が上述した組み付ける際の状態、即ちゲート４２ｋへの挿入方向と直行する方向にガタ付かせずに円滑に抜け出ることは想定され難い。従って、連設部１２ｍがゲート４２ｋを通して抜け出る、即ち板ばね１２が可動部４２から外れることは困難である。
【００７０】
また、外力の作用により板ばね１２と可動部４２が相対的に変位して板ばね１２の連設部１２ｍが収容部４２ｍ内で幅方向（左右方向）にずれることがあり得る。この場合、板ばね１２の連設部１２ｍの切欠部１２ｅの奥端面１２ｊ又は孔部１２ｇの縁１２ｋがゲート４２ｋと収容部４２ｍとの角部４２ｎにより係止されてゲート４２ｋから抜け出ることが阻止される。これにより、板ばね１２が可動部４２から外れ難くなる。
【００７１】
図１８は、本実施形態に係る可動部４２の切欠部の第６の変形例を示し、図１６に示した場合と同様に切欠部４２ｂ’”は、先端部に開口するスリット状のゲート４２ｋと、該ゲート４２ｋの奥部に連設して形成され当該ゲート４２ｋよりも幅広の略四角形状の収容部４２ｍからなる。ゲート４２ｋの幅は、図１６に示した板ばね１２の切欠部１２ｄの奥端面１２ｊと孔部１２ｇの縁１２ｋとの間の連設部１２ｍの幅により規定されており、板ばね１２を変形させずにかつゲート４２ｋへの挿入方向と直交する方向にガタ付かせずに連設部１２ｍがゲート４２ｋを僅かな隙間を存して挿通可能、即ち寸法公差ぎりぎりで通過可能に設定されている。
【００７２】
そして、可動部４２は、両側のゲート４２ｋの内側部の先端領域４２ａが両側のゲート４２ｋの外側部４２ｄよりも前方に長く延出して形成されている。このように先端領域４２ａを長く延出して形成することにより、当該先端領域４２ａがガイド機能を有することとなり、板ばね１２を組み付ける際に孔部１２ｇの両側の縁１２ｋが先端領域４２ａの両側面と摺動することとなり、板ばね１２が挿入方向と直交方向にガタ付くことを少なくすることができ、組み付け易くなる。また、先端領域４２ａが延出していることにより板ばね１２が可動部４２から外れ難くなる。
【００７３】
図１９は、本実施形態に係る可動部４２の切欠部の第７の変形例を示し、図１６に示した場合と同様に切欠部４２ｂ’”は、先端部に開口するスリット状のゲート４２ｋと、該ゲート４２ｋの奥部に連設して形成され当該ゲート４２ｋよりも幅広の略四角形状の収容部４２ｍからなる。ゲート４２ｋの幅は、図１６に示した板ばね１２の切欠部１２ｅの奥端面１２ｊと孔部１２ｇの縁１２ｋとの間の連設部１２ｍの幅により規定されており、板ばね１２を変形させずにかつゲート４２ｋへの挿入方向と直交する方向にガタ付かせずに連設部１２ｎがゲート４２ｋを僅かな隙間を存して挿通可能、即ち寸法公差ぎりぎりで通過可能に設定されている。
【００７４】
そして、可動部４２は、両側のゲート４２ｋの内側部の先端領域４２ａと両側のゲート４２ｋの外側部４２ｄの両方が前方に略同じ長さ延出して形成されている。換言すれば、ガイド１２ｋが長く形成されている。このように先端領域４２ａと外側部４２ｄを長く形成することにより、板ばね１２を組み付ける際に連設部１２ｍの両側が先端領域４２ａと外側部４２ｄ、即ちガイド４２ｋによりガイドされることとなり、板ばね１２が挿入方向と直交する方向にガタ付くことを少なくすることができ、組み付け易くなる。また、板ばね１２が可動部４２から外れ難くなる。
【００７５】
尚、上記実施の形態においては板ばね１２，１２’，１２”と第２の可動部４２，２２との係合について記述したが、第１の可動部４１，２１との係合についても適用し得ることが可能である。また、他の構造のスナップアクション機構、例えば２つの可動部が上下に間隔を存して対向配置され、これらの可動部の先端部に板ばねが湾曲して介在され、可動部の切欠部と板ばねの切欠部が係合される構造のスナップアクション機構にも適用することが可能である。
【００７６】
以上説明したように本実施形態の第２の可動部の変形例によれば、第２の可動部両側の切欠部の内側の先端領域又は外側の先端領域が折曲して形成されることに代えて、当該先端領域の何れか一方の領域が何れか他方よりも延出して形成されていることにより、板ばねの孔部との係合が外れ難くなる。
【００７７】
また、本実施形態の第２の可動部の切欠部の第１の変形例によれば、板ばね側の切欠部は、第２の可動部側の切欠部の開口部に形成された略鋸歯状をなす係止爪により挿入が許容され、かつ係止爪により係止されることで可動部側切欠部から外れ難くなる。
【００７８】
また、本実施形態の第２の可動部の切欠部の第２の変形例によれば、板ばね側の切欠部は、第２の可動部側の切欠部の開口部に形成された略鋸歯状をなす係止爪と、この係止爪と対向して形成された係止爪に対応する相補的な形状の凹部との間から当該第２の可動部側切欠部に挿入されることにより、板ばね側切欠部の第２可動部側切欠部への挿入が容易となり、かつ係止爪により係止されることで当該切欠部から外れ難くなる。
【００７９】
また、本実施形態の第２の可動部の切欠部の第３の変形例によれば、板ばね側の切欠部は、第２の可動部側の切欠部の開口部に形成された略鋸歯状をなす係止爪と、この係止爪と対応して凹みかつテーパ部の奥側終端部と対応する部位から可動部側切欠部の奥端面まで可動部の延在方向に沿って直線状に切り下げられて形成されている凹部との間から当該第２の可動部側切欠部に挿入されることにより、板ばね側切欠部の第２の可動部側切欠部への挿入が容易となり、かつ係止爪により係止されて当該第２の可動部側切欠部から外れ難くなる。
【００８０】
また、本実施形態の板ばねの第１の変形例によれば、第２の可動部の先端部が板ばねの両側部の切欠部間に形成されたスリット状の係止孔に挿通されることにより、板ばねから外れ難くなる。これにより、第２の可動部と板ばねとが外れ難くなる。
【００８１】
また、本実施形態の板ばねの第２の変形例及び第２の可動部の切欠部の第４の変形例によれば、板ばねを板状に形成して両端部両側部に板ばね側切欠部を形成し、第１及び第２の可動部の先端に形成した可動部側切欠部に板ばね側切欠部を介して板ばねの端部を挿通することにより、板ばねは、板ばね側切欠部が第２の可動部の係止爪により挿入可能かつ逸脱不能に係止され、更に孔部の無い平板とされていることで捻れ方向に対する剛性が強く第１及び第２の可動部と外れ難くなる。
【００８２】
また、本実施形態の第２の可動部の切欠部の第５の変形例によれば、可動部側切欠部を、板ばね側切欠部の奥端面と孔部の縁との間の連設部を挿通させるゲートと該ゲートの奥部にゲートよりも幅広で連設部を収容する収容部とにより形成し、可動部の切欠部のゲートの幅を板ばねの切欠部と孔部との間の連設部の幅により規定し、板ばねを変形させずにかつ板ばねの挿入方向と直交する方向にガタ付かせずにゲートを挿通させて板ばねの切欠部を可動部の切欠部の収容部に係合する。これにより、板ばねを撓ませたりして変形させること無く第２の可動部の収容部に係合させることが可能となり、組み付けが容易となる。そして、組み付けした後は、幅狭いゲートの部分がフックのような役割をして板ばねが第２の可動部から外れ難くなる。
【図面の簡単な説明】
【００８３】
【図１】従来の圧力スイッチの断面図である。
【図２】図１に示した圧力スイッチのスイッチを構成するスナップアクション機構の斜視図である。
【図３】図２に示したスナップアクション機構の板ばねの正面図である。
【図４】図２に示したスナップアクション機構における板ばねと第２の可動部の係合状態の説明図である。
【図５】本発明に係るスナップアクション機構を用いた圧力スイッチの断面図である。
【図６】図５に示した圧力スイッチのスナップアクション機構の斜視図である。
【図７】図６に示したスナップアクション機構における第２の可動部の先端部の形状及び板ばねとの係合状態の説明図である。
【図８】図７に示した第２の可動部の先端部の形状の変形例及び板ばねとの係合状態の説明図である。
【図９】図６に示したスナップアクション機構における第２の可動部の切欠部の変形例を示し、図９（ａ）は第２の可動部の切欠部の第１の変形例の説明図、図９（ｂ）は、図９（ａ）に示した切欠部と板ばねとの係合状態の説明図である。
【図１０】図６に示したスナップアクション機構における第２の可動部の切欠部の変形例を示し、図１０（ａ）は第２の可動部の切欠部の第２の変形例の説明図、図１０（ｂ）は、図１０（ａ）に示した切欠部と板ばねとの係合状態の説明図である。
【図１１】図６に示したスナップアクション機構における第２の可動部の切欠部の変形例を示し、図１１（ａ）は第２の可動部の切欠部の第３の変形例の説明図、図１１（ｂ）は、図１１（ａ）に示した切欠部と板ばねとの係合状態の説明図である。
【図１２】図６に示したスナップアクション機構における板ばねの第１の変形例を示す正面図である。
【図１３】図６に示したスナップアクション機構における第２の可動部の切欠部と図１２に示した板ばねとの係合状態の説明図である。
【図１４】図６に示したスナップアクション機構における板ばねの第２の変形例を示す正面図である。
【図１５】図６に示したスナップアクション機構における第２の可動部の切欠部の変形例を示し、図１５（ａ）は第２の可動部の切欠部の第４の変形例の説明図、図１５（ｂ）は、図１２（ａ）に示した板ばねとの係合状態の説明図である。
【図１６】図６に示したスナップアクション機構における第２の可動部の切欠部の第５の変形例と板ばねの一部の説明図である。
【図１７】図１６に示した第２の可動部の切欠部と板ばねの切欠部との係合状態の説明図である。
【図１８】図６に示したスナップアクション機構における第２の可動部の切欠部の第６の変形例の説明図である。
【図１９】図６に示したスナップアクション機構における第２の可動部の切欠部の第７の変形例の説明図である。
【符号の説明】
【００８４】
１，１’    圧力スイッチ
２    ハウジング
２ａ    ポート（気体導入孔）
３    カバー
３ａ    ポート（気体導入孔）
４    スイッチ
５    低圧室
６    高圧室
７    ダイアフラム
７ａ    プランジャ
１１    主板
１１ａ，１１ｂ    端部
１１ｃ    連結部
１２,１２’,１２”    板ばね
１２ａ,１２ｂ,１２ａ’,１２ｂ’,１２ａ”,１２ｂ”    端部
１２ｃ,１２ｃ’,１２ｃ”    側部
１２ｄ，１２ｅ,１２ｄ’,１２ｅ’,１２ｄ”,１２ｅ”    切欠部
１２ｆ,１２ｆ’    中央部
１２ｇ,１２ｇ’    孔部
１２ｈ    切欠部の側部
１２ｉ’    係止孔
１２ｊ    切欠部の奥端面
１２ｋ    孔部の縁
１２ｍ    切欠部と孔部との連設部
１３    ＣＯＭ端子
１４    ＮＯ端子
１４ａ    電気接点
１５    ＮＣ端子
１５ａ    電気接点
１７    止めねじ
２１    第１の可動部
２１ａ    先端部
２１ｂ    切欠部
２１ｃ    プランジャ受け部
２２    第２の可動部
２２ａ    先端部
２２ｂ    切欠部
２３，２４    弾性変形部
２５，２６    電気接点
３０    スイッチ
３１    主板
３１ａ,３１ｂ    端部
３１ｃ    連結部
３１ｄ    折曲部
４１    第１の可動部
４１ａ    先端部（両側の切欠部の内側部の先端領域）
４１ｂ    切欠部
４１ｃ    プランジャ受け部
４１ｄ    折曲部
４２    第２の可動部
４２ａ    先端部（両側の切欠部の内側部の先端領域）
４２ｂ    切欠部
４２ｂ’    切欠部の奥端面
４２ｂ”，４２ｂ’”    切欠部
４２ｄ    切欠部の外側部
４２ｅ,４２ｅ’    先端部（両側の切欠部の外側部の先端領域）
４２ｆ    係止部
４２ｇ    係止部（両側の切欠部の外側部の先端領域）
４２ｈ    係止爪
４２ｈ’    前面（テーパ面）
４２ｈ”    後端面
４２ｉ,４２ｊ    切欠部（凹部）
４２ｋ    ゲート
４２ｍ    収容部
４２ｎ    角部
４３，４４    弾性変形部
４５，４６    電気接点
【図１】
2009129595.tif 000003
【図２】
2009129595.tif 000004
【図３】
2009129595.tif 000005
【図４】
2009129595.tif 000006
【図５】
2009129595.tif 000007
【図６】
2009129595.tif 000008
【図７】
2009129595.tif 000009
【図８】
2009129595.tif 000010
【図９】
2009129595.tif 000011
【図１０】
2009129595.tif 000012
【図１１】
2009129595.tif 000013
【図１２】
2009129595.tif 000014
【図１３】
2009129595.tif 000015
【図１４】
2009129595.tif 000016
【図１５】
2009129595.tif 000017
【図１６】
2009129595.tif 000018
【図１７】
2009129595.tif 000019
【図１８】
2009129595.tif 000020
【図１９】
2009129595.tif 000021